(57)【要約】 【課題】容器体１と、注ぎ口２２及び把手部２３を設けて容器体の開口部に固着した肩部材２と、流出口及び流出口の開閉を行う開閉弁及び開閉弁の開閉操作を行う操作レバー３３を備え、肩部材２の開口個所に螺合装着する栓体３で構成された飲料容器（卓上用ポット）において、栓体３の内部構造を変更することなく水漏れが生じない携帯可能な器具を提供する。【解決手段】栓体３の外周に設けた螺条３１１を、肩部材２の開口部内周面に設けた螺条２４に対して二重螺条に形成し、栓体３の１８０度螺合装着位置を１８０度の変更選択を可能にすると共に、注ぎ口２２と操作レバー３３の形状を、操作レバー３３が注ぎ口２２上に位置した際に操作レバー３３が注ぎ口２２に当接して動作が抑止されるように形成する。【選択図】図１
2016174732.tif 000002
【特許請求の範囲】
【請求項１】
容器体と、注ぎ口及び把手部を設けて容器体の開口部に固着した肩部材と、流出口及び流出口の開閉を行う開閉弁及び開閉弁の開閉操作を行う操作レバーを備え、肩部材の開口個所に装着する栓体で構成された飲料容器であって、栓体装着位置方向を１８０度の変更選択を可能に設ける共に、注ぎ口と操作レバーの形状を、操作レバーが注ぎ口上に位置した際に操作レバーが注ぎ口に当接して動作が抑止されるように形成してなることを特徴とする飲料容器。
【請求項２】
栓体装着構造が、肩部材に栓体を螺合装着するものであって、栓体の外周に設けた螺条を、肩部材の開口部内周面に設けた螺条に対して二重螺条に形成してなる請求項１記載の飲料容器。
【請求項３】
栓体装着構造が、注ぎ口と把手部と操作レバーを結ぶ線上と直交する方向において、肩部材の開口内周面適宜個所に設けた係止凹部に対して、栓体の側面から付勢力で突出して係止し、付勢力に抗する後退操作で係止解除を行う着脱レバーによるものである請求項１記載の飲料容器。
【発明の詳細な説明】
【技術分野】
【０００１】
本発明は、主として卓上用ポットとして使用される飲料容器に関するものである。
【背景技術】
【０００２】
卓上用ポットとして使用される保温タイプの飲料容器としては、断熱容器体の開口部に注ぎ口と把手部を設けた肩部材を装着し、操作レバーで弁体を動作させて流出口の開閉を行う栓体を、前記肩部材に装着しているものが知られており、特に前記の栓体装着構造として肩部材に螺合装着しているもの（特許文献１）、肩部材の開口部に設けた係止凹部と、前記係止凹部に対して栓本体の側面から出没して係止または係止解除を行う着脱レバーとの組み合わせ構造を、注ぎ口と取手とを結ぶ線上に配置される操作レバーに対して直交する線上に配置してなるものが知られている（特許文献２）。
【０００３】
また操作レバーで流出口の開閉を行う卓上冷水筒を冷蔵庫に横倒収納する際に、操作レバーが動作して水漏れが発生しないように、操作レバーにロック機構を付設している冷水筒が提案されている（特許文献３）。
【先行技術文献】
【特許文献】
【０００４】
【特許文献１】特開２００５−２７８８５５号公報。
【特許文献２】特開２０１３−１２４１１６号公報。
【特許文献３】特許５０１６４５９号公報。
【発明の概要】
【発明が解決しようとする課題】
【０００５】
卓上用ポットは、リビングのテーブル等の所定の箇所で使用されることが多いが、例えばピクニックにおいて使用する等、携帯して使用することを想定すると、飲料を収納した状態で携帯する際に、操作レバーが動作して飲料が漏れ出ることを防止しておく必要がある。特許文献３に開示されている様に、操作レバーと操作レバーを回動自在に組み込んでいる栓本体との間に、操作レバーの動作を制止する可動部材（ロック部材）を設ける必要があり、部品数が増加し、製造コストをアップさせる原因となる。
【０００６】
そこで本発明は、栓体の内部構造を変更することなく簡易な構造を付加及び注ぎ口形状を変更することで、携帯時に操作レバーの動作が生じないようにした飲料容器を提案したものである。
【課題を解決するための手段】
【０００７】
本発明に係る飲料容器は、容器体と、注ぎ口及び把手部を設けて容器体の開口部に固着した肩部材と、流出口及び流出口の開閉を行う開閉弁及び開閉弁の開閉操作を行う操作レバーを備え、肩部材の開口個所に装着する栓体で構成された飲料容器であって、栓体装着位置方向を１８０度の変更選択を可能に設ける共に、注ぎ口と操作レバーの形状を、操作レバーが注ぎ口上に位置した際に操作レバーが注ぎ口に当接して動作が抑止されるように形成してなること特徴とするものである。
【０００８】
而して前記飲料容器は、栓体を取外して肩部材の開口部から飲料を容器体内に注ぎ入れた後、栓体を装着する。栓体の装着に際してその装着方向を選択することができ、使用時には操作レバーの最終位置方向が把手部側となるように装着すると、操作レバーの弁開閉操作を行うことができ、携帯時は、操作レバーの最終位置方向を注ぎ口方向となるように装着すると、操作レバーが注ぎ口と当接して弁開閉動作が制止される。
【０００９】
また本発明の請求項２記載に係る飲料容器は、栓体装着構造が、肩部材に栓体を螺合装着するものであって、栓体の外周に設けた螺条を、肩部材の開口部内周面に設けた螺条に対して二重螺条に形成してなるもので、肩部材の螺条への螺合開始時の栓体の方向によって螺合最終位置の栓体の方向（栓体のパッキンが機能する深さまで螺合した際の栓体の方向）が１８０度相違する。
【００１０】
また本発明の請求項３記載に係る飲料容器は、栓体装着構造が、注ぎ口と把手部と操作レバーを結ぶ線上と直交する方向（左右方向）において、肩部材の開口内周面適宜個所に設けた係止凹部に対して、栓体の側面から付勢力で突出して係止し、付勢力に抗する後退操作で係止解除を行う着脱レバーによるもので、着脱レバーによる栓体脱着に際して、左右逆にすると、操作レバーが注ぎ口上に位置して装着されることになり、操作レバーの動作が制止されるものである。
【発明の効果】
【００１１】
本発明の構成は上述のとおりで、栓体の装着方向を変更することで、操作レバーの動作を制止することができ、特に操作レバーのロック機構を付設することなく、注ぎ口と操作レバーの形状を適宜定めることで携帯時の水漏れを防止できたものである。
【図面の簡単な説明】
【００１２】
【図１】本発明の第一の実施形態の栓体を外した全体斜視図。
【図２】同使用時の全体斜視図。
【図３】同携帯時の全体斜視図。
【図４】同栓体を示すもので、（イ）は平面図、（ロ）は側面図。
【図５】同使用時の要部断面図。
【図６】同携帯時の要部断面図。
【図７】本発明の第二の実施形態の栓体を外した全体斜視図。
【図８】同使用時の全体斜視図。
【図９】同携帯時の全体斜視図。
【発明を実施するための形態】
【００１３】
次に本発明の実施形態について説明する。図１乃至図６は、本発明の第一の実施形態を示したもので、この飲料容器は、主として卓上用として使用されるもので、容器体１と、肩部材２と、栓体３で構成されている。
【００１４】
容器体１は、外容器部１１と内容器部１２からなるステンレス製真空二重構造で、開口部で内外容器部を溶着密封し、開口部外周に装着凹条１３を周設し、開口部内に受け突条１４を周設してなるものである。
【００１５】
肩部材２は、筒状本体部２１と注ぎ口２２と把手部２３を備え、筒状本体部２１は開口部内周面に螺条２４を形成し、容器体１の開口端を被覆すると共に、前記装着凹条１３に嵌合係止するものである。また特に前記螺条２４は、１ピッチ螺条で、後述する栓体３が螺合装着した際に所定位置で螺合回動を停止させるストッパー２５を付設してなる。
【００１６】
また注ぎ口２２及び把手部２３は、後述する栓体３の螺合装着時に栓体３の操作レバー３３の所定の動作（開閉動作可能及び開閉動作阻止）に対応する形状に形成したものである。
【００１７】
栓体３は、栓本体３１に弁開閉機構３２及び弁の開閉操作を行う操作レバー３３で構成され、栓本体３１は、下方部材３１ａと、前記下方部材３１ａに係合して一体化する上方カバー部材３１ｂからなる。
【００１８】
下方部材３１ａには、肩部材２の螺条２４に螺合する螺条３１１と、栓体底面の流出口３１２から注ぎ口２２まで流路を形成する流出路３１３と、装着時に受け突条１４と当接するパッキン３１４を備えたもので、特に前記螺条３１１は、螺条２４と同一ピッチの螺条を半ピッチずらした二重螺条に形成したものである。
【００１９】
上方カバー部材３１ｂは、流出路３１３の形成位置と反対側に、操作部３３１を栓本体３１の外方へ突出させ、操作レバー３３を揺動可能に保持すものである。
【００２０】
弁開閉機構３２は、栓本体３１の底面の流出口３１２を開閉する弁体３２１と、弁体３２１を上方に引き上げる弁軸３２２と、弁軸３２２の頂部に着脱自在に設けコマ部３２３と、前記コマ部３２３と栓本体３１と間に介装して弁軸３２２を引き上げ付勢する弁軸発条３２４と、栓本体３１と弁体３２１との間に介装して弁体を下方付勢する弁体発条３２５をそなえたものである。尚弁軸発条３２４は、弁体発条３２５に比して強い付勢力を有するようにしたものである。
【００２１】
而して前記飲料容器は、栓体３を取外して肩部材２の開口部から飲料を容器体１内に注ぎ入れた後、栓体３を装着する。栓体３の装着は、二重螺条となっているので、肩部材２の螺条２４への螺合開始時の栓体３の方向によって螺合最終位置の栓体３の方向１８０度相違する。従って使用時には操作レバー３３を注ぎ口２２側にして、１８０度回動させて螺合装着すると、パッキン３１４が受け突条１４を押圧して栓体３が装着され、操作レバー３３が把手部２３側となる。
【００２２】
そこで操作レバー３３を下方に押圧して動作させ、容器体１を傾けると、容器体１内の飲料が注ぎ口２２よりコップなどに注がれる。
【００２３】
更に具体的に説明すると、容器体１内の飲料の熱のために容器体１内の圧力が大気圧以上であった場合には、操作レバー３３を押し下げると、弁軸３２２のみが下降して、弁軸３２２と弁体３２１の間隙から容器体１内の圧力を開放し、容器体１内の過度の圧力が開所されると弁体発条３２５の付勢力で弁体３２１が下降して流出口３１２を開口して、容器体１内の飲料の注ぎ出しを可能とするものである。
【００２４】
また栓体３の螺合装着に際して、操作レバー３３を把手部２３側にとし、それから１８０度回動させて螺合装着すると、パッキン３１４が受け突条１４を押圧して栓体３が装着されると同時に、操作レバー３３が注ぎ口２２の上方位置となり、操作レバー３３が注ぎ口２２の側縁上端に当接し、操作レバー３３の下降動作（弁開放動作）が制止される。従ってピクニック等に飲料を収納して携帯する際に、不要に操作レバーが動作して水漏れが生じない。
【００２５】
また従前の器具と同様に、上方カバー部材３１ｂを外し、コマ部３２３を弁軸３２２から外すと、弁軸発条３２４が外れ、弁軸３２２を下方に引き抜くと弁体３２１も分離し、全体が容易に分解され、洗浄等の手入れが容易となる。
【００２６】
図７乃至図９は、本発明の第二の実施形態を示したもので、第一実施形態と同様に容器体１と、肩部材２ａと、栓体３ａで構成されている。
【００２７】
容器体１と肩部材２ａの装着構造は第一実施形態と同様であり、同一番号は同一構成を示すものである。
【００２８】
この第二実施形態における肩部材２ａは、注ぎ口２２と把手部２３とを結ぶ線上と直交する方向で、栓本体３１ａの開口内周面に係止凹部２６を設けてなる。
【００２９】
栓体３ａは、栓本体３１ａに開閉弁機構及び弁の開閉操作を行う操作レバー３３を備えると共に、上面に着脱レバー３４を設けたもので、前記着脱レバー３４の操作によって栓本体３１ａの側面から係止部３５を出没させ、係止凹部２６への係止・係止解除を行って栓体３ａの着脱を行うものである。
【００３０】
特に注ぎ口２２と操作レバー３３の関係が、栓体３ａを使用時（図８）の装着方向と１８０度変えて装着すると、操作レバー３３が注ぎ口２２の上方位置となり、操作レバー３３の操作部３３１が注ぎ口２２の上縁に当接し、操作レバー３３の下降動作（弁開放動作）が制止されるように、注ぎ口２２及び操作レバー３３の形状を設定する。
【００３１】
従ってピクニック等に飲料を収納して携帯する際には、栓体３ａを使用時と逆方向に装着すると（図９）、不要に操作レバーが動作することが無く、携帯時の水漏れを防止できるものである。
【符号の説明】
【００３２】
１      容器体
１１    外容器部
１２    内容器部
１３    装着凹条
１４    受け突条
２，２ａ  肩部材
２１    筒状本体部
２２    注ぎ口
２３    把手部
２４    螺条
２５    ストッパー
２６    係止凹部
３，３ａ  栓体
３１，３１ａ  栓本体
３１ａ    下方部材
３１ｂ    上方カバー部材
３１１    螺条
３１２    流出口
３１３    流出路
３１４    パッキン
３２      弁開閉機構
３２１    弁体
３２２    弁軸
３２３    コマ部
３２４    弁軸発条
３２５    弁体発条
３３      操作レバー
３３１    操作部
３４      着脱レバー
３５      係止部
【図１】
2016174732.tif 000003
【図２】
2016174732.tif 000004
【図３】
2016174732.tif 000005
【図４】
2016174732.tif 000006
【図５】
2016174732.tif 000007
【図６】
2016174732.tif 000008
【図７】
2016174732.tif 000009
【図８】
2016174732.tif 000010
【図９】
2016174732.tif 000011